【手続補正書】
【提出日】平成20年10月10日(2008.10.10)
【手続補正１】
【補正対象書類名】明細書
【補正対象項目名】０００３
【補正方法】変更
【補正の内容】
【０００３】
イソシアネート反応性混合物が、低レベルの1つまたはそれ以上の低分子量エキステンダー(増量剤)、架橋剤または相溶化剤、および低レベルの1つまたはそれ以上の高分子量ポリオールを含んでいる場合に、種々のタイプおよび等級の軟質ポリウレタンフォームの製造が、改善され容易になる場合が多い。これらの成分は、発泡加工において有利な作用を有しうるが、しばしば、特定のフォーム特性における不利な作用、例えば、減少した気孔率および増加した圧縮永久歪みを有することがある。フォーム気孔率の減少は、ほぼ100およびそれ以上のイソシアネート指数において製造される軟質スラブ材フォームにとって、特に不都合である。種々のタイプおよび等級のスラブ材フォームの製造および特性を改善する単一改質剤ブレンドは、この分野において高く評価されるものである。
【手続補正２】
【補正対象書類名】明細書
【補正対象項目名】００１６
【補正方法】変更
【補正の内容】
【００１６】
ポリウレタンフォームは、 (1)芳香族ポリイソシアネート成分；(2) 1つまたはそれ以上のポリオキシアルキレンポリエーテルポリオールを含んで成るイソシアネート反応性成分；および(3)フォーム改質剤を、(4)1つまたはそれ以上の発泡剤；(5)1つまたはそれ以上の触媒；および(6)1つまたはそれ以上の界面活性剤の存在下に、反応させることによって得られる反応生成物を含んで成る。NCO基の相対量は、イソシアネート指数が全フォーム配合物中のイソシアネート反応性基と反応するのに必要な化学量論量の少なくとも98、好ましくは少なくとも約100であるような相対量である。イソシアネート指数は、約120またはそれ未満が好ましい。
【手続補正３】
【補正対象書類名】明細書
【補正対象項目名】００１８
【補正方法】変更
【補正の内容】
【００１８】
本発明の別の態様において、フォーム改質剤(3)は、(c)ジプロピレングリコールをさらに含んで成る。
【手続補正４】
【補正対象書類名】明細書
【補正対象項目名】００１９
【補正方法】変更
【補正の内容】
【００１９】
本発明の軟質フォームの成分(1)として使用するのに好適なポリイソシアネート成分は、例えば、約2.0またはそれ以上の官能価に特徴がある芳香族ポリイソシアネートを包含する。特に、本発明において成分(1)として使用するのに好適なポリイソシアネートおよび/またはそのプレポリマーは、一般に約20%より大のNCO基含有量を有する。本発明に好適な芳香族ポリイソシアネートは、2,4-トルエンジイソシアネート、2,6-トルエンジイソシアネートおよびそれらの混合物を包含するトルエンジイソシアネート、2,2'-ジフェニルメタンジイソシアネート、2,4'-ジフェニルメタンジイソシアネート、4,4'-ジフェニルメタンジイソシアネートおよびそれらの異性体混合物を包含するジフェニルメタンジイソシアネート、ポリフェニルメタンポリイソシアネート等を包含する。本発明に好ましいポリイソシアネートは、2,4-トルエンジイソシアネート、2,6-トルエンジイソシアネートおよびそれらの混合物を包含する。本発明に特に好ましい芳香族ポリイソシアネート成分は、80wt%の2,4-トルエンジイソシアネートおよび20wt%の2,6-トルエンジイソシアネートの混合物を含有する。
【手続補正５】
【補正対象書類名】明細書
【補正対象項目名】００２５
【補正方法】変更
【補正の内容】
【００２５】
使用できるポリオキシアルキレンポリオールとして、種々の好適な開始剤分子のアルキレンオキシド付加物が挙げられる。非限定的な例を以下に示す：二価開始剤、例えば、エチレングリコール、ジエチレングリコール、トリエチレングリコール、プロピレングリコール、ジプロピレングリコール、トリプロピレングリコール、ネオペンチルグリコール、1,3-プロパンジオール、1,4-ブタンジオール、1,6-ヘキサンジオール、1,4-シクロヘキサンジオール、1,4-シクロヘキサン-ジメタノール、ヒドロキノン、ヒドロキノンビス(2-ヒドロキシエチル)エーテル、種々のビスフェノール、特にビスフェノールAおよびビスフェノールFおよびそれらのビス(ヒドロキシアルキル)エーテル誘導体、アニリン、種々のN,N-ビス(ヒドロキシアルキル)アニリン、第一級アルキルアミンおよび種々のN,N-ビス(ヒドロキシアルキル)アミン；三価開始剤、例えば、グリセリン、トリメチロールプロパン、トリメチロールエタン、種々のアルカノールアミン、例えば、エタノールアミン、ジエタノールアミン、トリエタノールアミン、プロパノールアミン、ジプロパノールアミンおよびトリプロパノールアミン；四価開始剤、例えば、ペンタエリトリトール、エチレンジアミン、N,N,N',N'-テトラキス[2-ヒドロキシアルキル]エチレンジアミン、トルエンジアミンおよびN,N,N',N'-テトラキス[ヒドロキシアルキル]トルエンジアミン；五価開始剤、例えば種々のアルキルグルコシド、特にα-メチルグルコシド；六価開始剤、例えば、ソルビトール、マンニトール、ヒドロキシエチルグルコシドおよびヒドロキシプロピルグルコシド；八価開始剤、例えばスクロース；および、高官能価開始剤、例えば、種々のデンプン、および部分加水分解デンプンに基づく生成物；および、メチロール基含有樹脂、およびノボラック樹脂、例えば、アルデヒド、好ましくはホルムアルデヒドと、フェノール、クレゾールまたは他の芳香族ヒドロキシル含有化合物との反応から生成されるノボラック樹脂。
【手続補正６】
【補正対象書類名】明細書
【補正対象項目名】００３８
【補正方法】変更
【補正の内容】
【００３８】
本発明の軟質フォームの成分(5)に好適な触媒は、例えば、芳香族ポリイソシアネート成分とイソシアネート反応性成分（水を包含する）との反応を促進しうることが知られている種々のポリウレタン触媒である。そのような触媒の例は、第三級アミン、および当分野において既知であり記載されている金属化合物であるが、それらに限定されない。好適な第三級アミン触媒のいくつかの例は、トリエチルアミン、トリブチルアミン、N-メチルモルホリン、N-エチルモルホリン、N,N,N',N'-テトラメチルエチレンジアミン、ペンタメチル-ジエチレントリアミン、および高級同族体、1,4-ジアザビシクロ[2.2.2]オクタン、N-メチル-N'-(ジメチルアミノエチル)ピペラジン、ビス(ジメチルアミノアルキル)ピペラジン、N,N-ジメチルベンジルアミン、N,N-ジメチルシクロヘキシルアミン、N,N-ジエチルベンジルアミン、ビス(N,N-ジエチルアミノエチル)アジペート、N,N,N',N'-テトラメチル-1,3-ブタンジアミン、N,N-ジメチル-β-フェニルエチルアミン、1,2-ジメチルイミダゾール、2-メチルイミダゾール、一価および二価アミジン、ビス(ジアルキルアミノ)アルキルエーテル、およびアミド基（好ましくはホルムアミド基）を含有する第三級アミンである。使用される触媒は、第二級アミン（例えばジメチルアミン）およびアルデヒド（好ましくはホルムアルデヒド）またはケトン（例えばアセトン）およびフェノールの既知のマンニッヒ塩基であってもよい。特に好ましい触媒は、トリエチレンジアミン、ビス(2-ジメチルアミノ-エチル)エーテル、オクタン酸第一錫およびジブチル錫ジラウレートである。
【手続補正７】
【補正対象書類名】明細書
【補正対象項目名】００５２
【補正方法】変更
【補正の内容】
【００５２】
使用できるポリオキシアルキレンポリオールとして、種々の好適な開始剤分子の、アルキレンオキシド付加物が挙げられる。非限定的な例を以下に示す：二価開始剤、例えば、エチレングリコール、ジエチレングリコール、トリエチレングリコール、プロピレングリコール、ジプロピレングリコール、トリプロピレングリコール、ネオペンチルグリコール、1,3-プロパンジオール、1,4-ブタンジオール、1,6-ヘキサンジオール、1,4-シクロヘキサンジオール、1,4-シクロヘキサンジメタノール、ヒドロキノン、ヒドロキノンビス(2-ヒドロキシエチル)エーテル、種々のビスフェノール、特にビスフェノールAおよびビスフェノールFおよびそれらのビス(ヒドロキシアルキル)エーテル誘導体、アニリン、種々のN,N-ビス(ヒドロキシアルキル)アニリン、第一級アルキルアミンおよび種々のN,N-ビス(ヒドロキシアルキル)アミン；三価開始剤、例えば、グリセリン、トリメチロールプロパン、トリメチロールエタン、種々のアルカノールアミン、例えば、エタノールアミン、ジエタノールアミン、トリエタノールアミン、プロパノールアミン、ジプロパノールアミンおよびトリプロパノールアミン；四価開始剤、例えば、ペンタエリトリトール、エチレンジアミン、N,N,N',N'-テトラキス[2-ヒドロキシアルキル]エチレンジアミン、トルエンジアミンおよびN,N,N',N'-テトラキス[ヒドロキシアルキル]トルエンジアミン；五価開始剤、例えば種々のアルキルグルコシド、特にα-メチルグルコシド；六価開始剤、例えば、ソルビトール、マンニトール、ヒドロキシエチルグルコシドおよびヒドロキシプロピルグルコシド；八価開始剤、例えばスクロース；および、高官能価開始剤、例えば、種々のデンプン、および部分加水分解デンプンに基づく生成物；および、メチロール基含有樹脂、およびノボラック樹脂、例えば、アルデヒド、好ましくはホルムアルデヒドと、フェノール、クレゾールまたは他の芳香族ヒドロキシル含有化合物との反応から生成されるノボラック樹脂。